(57)【要約】【課題】遠距離撮影から近距離撮影に切替える場合、又は近距離撮影から遠距離撮影に切替える場合のいずれにおいても、撮像部の撮像方向を切替える操作を行なったときには撮像素子とレンズとの間の焦点距離が自動的に調節されるようにした撮影機能付き携帯端末装置を提供する。【解決手段】本体部２２と撮像部３６を有し、撮像部は、その撮像軸上にレンズ５０，５２と撮像素子６４を有すると共にこの撮像軸と直角方向の回動軸線を中心にして少なくとも第１の所定の角度から第２の所定の角度の範囲内で回動可能となるように本体部に連結されて、撮像部を第１又は第２の所定角度に回動させたときに、これに連動してレンズと撮像素子の間の距離を近距離撮影用又は遠距離撮影用の設定に切替える調節機構５４，６２，９２，９６を備えるようにした。【選択図】      図５
2005037589.tif 000002
【特許請求の範囲】
【請求項１】
本体部と撮像部を有し、
前記撮像部は、その撮像軸上にレンズと撮像素子を有すると共にこの撮像軸と直角方向の回動軸線を中心にして少なくとも第１の所定の角度から第２の所定の角度の範囲内で回動可能となるように前記本体部に連結されて、
前記撮像部を前記第１又は第２の所定角度に回動させたときに、これに連動して前記レンズと前記撮像素子の間の距離を近距離撮影用又は遠距離撮影用の設定に切替える調節機構を備えることを特徴とするカメラ付き携帯端末。
【請求項２】
前記調節機構は、
貫通孔を有する円筒の周面に第１の動力伝達部が形成され、前記貫通孔に前記レンズを保持するレンズ鏡枠と、
前記レンズ鏡枠がその回転動作により撮像軸の方向に移動するように該レンズ鏡枠と組合された鏡胴と、
前記回動軸線の方向に移動可能であって前記本体部に取り付けられる第２の動力伝達部と、
前記第２の動力伝達部を前記第１の動力伝達部に係合させるよう付勢する第１の付勢部材とを備え、
前記撮像素子が撮像軸上であって前記鏡胴側に配置されるようにした請求項１に記載のカメラ付き携帯端末。
【請求項３】
前記第１の動力伝達部と第２の動力伝達部は、かさ歯車状の歯車である請求項２に記載のカメラ付き携帯端末。
【請求項４】
前記レンズ鏡枠の円筒の周面であって第１の動力伝達部以外の部分に雄ネジ部が形成されると共に、この雄ネジ部に対応する雌ネジ部が前記鏡胴の撮像軸上に形成される請求項２または請求項３に記載のカメラ付き携帯端末。
【請求項５】
前記レンズ鏡枠を撮像軸の方向に付勢してレンズ鏡枠と組合される前記鏡胴とのがたつきを除去する第２の付勢部材を備える請求項２ないし請求項４のいずれかに記載のカメラ付き携帯端末。
【請求項６】
前記本体部は、第１筐体、第２筐体及びヒンジ構造の連結部を有して第１筐体と第２筐体が折り畳み自在にされると共に、
前記撮像部が前記連結部に連結されるようにした請求項１ないし請求項５に記載のカメラ付き携帯端末。
【発明の詳細な説明】
【０００１】
【発明の属する技術分野】
本発明は、撮像部を備えるカメラ付き携帯端末に関し、撮像方向を切替えるときは焦点調節を行なうようになっているカメラ付き携帯端末に関するものである。
【０００２】
【従来の技術】
従来のカメラ付き携帯端末には、ＣＣＤ（Ｃｈａｒｇｅ  Ｃｏｕｐｌｅｄ  Ｄｅｖｉｃｅ）等の撮像素子を用いた撮像部を備えて、一定以上の距離だけ離れた被写体を撮影するような遠距離撮影、或いは、カメラ付き携帯端末を保持するユーザー自身に撮像方向を向けて撮影するときのように、一定の距離内の被写体を撮影する近距離撮影の両方を行なうことができるようにしたものがあった。
【０００３】
そして、遠距離撮影と近距離撮影の設定を相互に切替える場合には、撮像部の撮像素子とレンズの間の距離（焦点距離又は焦点位置）を調節する必要があるが、遠距離撮影から近距離撮影の設定に切替える場合にのみ、撮像部のレンズの位置が自動的に調節されるようにしたカメラ付き携帯端末があった（例えば、特許文献１参照）。
【０００４】
この特許文献１に係るカメラ付き携帯端末２は、図７に示すように、撮像部４の筐体６が機器本体８に回動可能に連結されるようになっており、この筐体６の外側に設けられて前記撮像素子とレンズ間の距離の調節に用いる手動式切替えノブ１０には、カムフォロアとしての突起１２が形成されている。
【０００５】
そして、機器本体８を図７中に示す姿勢のままにして、撮像部４の撮像方向が、遠距離撮影を行なう図中矢印Ａの向きに設定された状態から、近距離撮影を行なう矢印Ｂの向きとなるように、筐体６を１８０°回動させると、突起１２が機器本体８側の対応するカム溝１４に案内されて、不図示の撮像素子とレンズの間の距離が、遠距離撮影から近距離撮影の設定に切替わるようになっていた。
【０００６】
【特許文献１】
特開２００３−５０１７号公報
【０００７】
【発明が解決しようとする課題】
しかしながら、このような従来のカメラ付き携帯端末２にあっては、逆に、撮像部４の撮像方向が近距離撮影の矢印Ｂの向きに設定された状態から遠距離撮影の矢印Ａの向きとなるように筐体６を回動させた場合には、切替えノブ１０を手動により操作しなければならないという問題があった。
【０００８】
そこで本発明は、上記問題点に鑑みて、遠距離撮影から近距離撮影に切替える場合、又は近距離撮影から遠距離撮影に切替える場合のいずれにおいても、撮像部の撮像方向を切替える操作を行なったときには撮像素子とレンズとの間の距離が自動的に調節されるようにしたカメラ付き携帯端末を提供することを課題とするものである。
【０００９】
【課題を解決するための手段】
上記課題を解決するために、本発明によるカメラ付き携帯端末は、
本体部と撮像部を有し、
前記撮像部は、その撮像軸上にレンズと撮像素子を有すると共にこの撮像軸と直角方向の回動軸線を中心にして少なくとも第１の所定の角度から第２の所定の角度の範囲内で回動可能となるように前記本体部に連結されて、
前記撮像部を前記第１又は第２の所定角度に回動させたときに、これに連動して前記レンズと前記撮像素子の間の距離を近距離撮影用又は遠距離撮影用の設定に切替える調節機構を備えるようにしたことを特徴とするものである。
【００１０】
また、本発明によるカメラ付き携帯端末は、
前記調節機構が、
貫通孔を有する円筒の周面に第１の動力伝達部が形成され、前記貫通孔に前記レンズを保持するレンズ鏡枠と、
前記レンズ鏡枠がその回転動作により撮像軸の方向に移動するように該レンズ鏡枠と組合された鏡胴と、
前記回動軸線の方向に移動可能であって前記本体部に取り付けられる第２の動力伝達部と、
前記第２の動力伝達部を前記第１の動力伝達部に係合させるよう付勢する第１の付勢部材とを備え、
前記撮像素子が撮像軸上であって前記鏡胴側に配置されるようにすることができる。
【００１１】
また、本発明によるカメラ付き携帯端末は、
前記第１の動力伝達部と第２の動力伝達部は、かさ歯車状の歯車にすることができる。
【００１２】
また、本発明によるカメラ付き携帯端末は、
前記レンズ鏡枠の円筒の周面であって第１の動力伝達部以外の部分に雄ネジ部が形成されると共に、この雄ネジ部に対応する雌ネジ部が前記鏡胴の撮像軸上に形成されるようにすることができる。
【００１３】
また、本発明によるカメラ付き携帯端末は、
前記レンズ鏡枠を撮像軸の方向に付勢してレンズ鏡枠と組合される前記鏡胴とのがたつきを除去する第２の付勢部材を備えるようにすることができる
【００１４】
また、本発明によるカメラ付き携帯端末は、
前記本体部は、第１筐体、第２筐体及びヒンジ構造の連結部を有して第１筐体と第２筐体が折り畳み自在にされると共に、
前記撮像部が前記連結部に連結されるようにようにすることができる。
【００１５】
【発明の実施の形態】
以下、本発明に係るカメラ付き携帯端末の実施の形態について、図面に基づいて具体的に説明する。図１ないし図６は、本発明の一実施の形態に係るカメラ付き携帯電話機２０（カメラ付き携帯端末に相当）について説明するために参照する図である。
【００１６】
図１に示すように、本実施の形態に係るカメラ付き携帯電話機２０の本体部２２は、表示部２４を備える第１筐体２６と操作部２８を備える第２筐体３０のそれぞれの端部が、それぞれの幅方向の両端部において、ヒンジ構造の連結部３２，３４により折り畳み自在に連結されるようになっている。
【００１７】
そして、このカメラ付き携帯電話機２０は、連結部３２と連結部３４の間の位置に撮像部３６が設けられるようになっている。この撮像部３６は、被写体の画像を取込むための窓部３８が形成された略円筒形状の筐体４０の内部に納められて、筐体４０の両端部から内側に入り込む連結部３２，３４の軸部材４２，４４に連結して、連結部３２，３４のヒンジ構造の軸線に一致する回動軸線を中心にして回動することができるようになっている。
【００１８】
したがって、撮像部３６は、第１筐体２６や第２筐体３０とは独立して回動することができるようになっている。そして、筐体４０の一端部にはレバー４６が一体形成され、このレバー４６を操作することにより撮像部３６を回動することができる。
【００１９】
カメラ付き携帯電話機２０は、撮像部３６が起動すると表示部２４がファインダーとして機能するようになっており、表示部２４は撮影動作が行なわれる前において撮像部３６の映す映像をリアルタイムで表示するようになっている。ユーザーは、この表示部２４に表示される映像を見ながら、撮影しようとする画像の構図等を決定することができる。
【００２０】
カメラ付き携帯電話機２０は、図２に示すように、近距離撮影を行なう場合には撮像部３６の撮像方向がユーザー自身に向くような、操作部２８の面に対して第１の所定の角度に定まるようになっていて（図中の撮像方向Ｄ）、ユーザーはその映像を表示部２４で確認することができる（図中の視線Ｅ）。
【００２１】
また、図３に示すように、遠距離撮影を行なう場合には撮像方向（図中の撮像方向Ｆ）がユーザーの視線（図中の視線Ｅ）と同じ方向となるような、操作部２８の面に対して第２の所定の角度となるようにするため、筐体４０の外側に一体形成されるレバー４６を、それが第１筐体２６の対応する位置に凹んで形成される回動位置決め部４８の奥に突当たるまで、撮像部３６を回動させるようになっている。
【００２２】
次に、図４及び図５に基づいて、撮像部３６が有する調節機構（焦点調節機構）について説明する。図４に示すように、撮像部３６の撮像軸は、筐体４０の略円筒形状の横断面における中心点を通過するようになっている。
【００２３】
そして図５に示すように、筐体４０の窓部３８の近傍には、レンズ５０，５２を保持するレンズ鏡枠５４が配置される。レンズ鏡枠５４は、その中心軸線上に貫通孔５６を有する略円筒形状になっており、この貫通孔５６の途中位置にレンズ５０，５２が固定されるようになっている。
【００２４】
このレンズ鏡枠５４の中心軸線方向の一方の端部には、フランジ状の第１のかさ歯車部５８（第１の動力伝達部）が形成され、他方の端部の長さ方向一定範囲の外周には雄ネジ部６０が形成されている。また、後述するように、このレンズ鏡枠５４は鏡胴６２の雌ネジ部７２にネジ結合するようになっているため、レンズ鏡枠５４の中心軸線は撮像軸と一致するようになっている。
【００２５】
また、撮像素子６４は、不図示のフレキシブルプリント配線板に接続されると共に、筐体４０の内側に形成される土台６６に取り付けられた基板６８上の中心に固定されて、撮像軸が撮像素子６４の中心を通るように配置されている。
【００２６】
そして、基板６８上には、長さ方向に貫通孔７０を有して略円筒形状に形成された鏡胴６２が、その円筒形状の長さ方向の軸線を撮像軸と一致させて固定されるようになっている。また、この貫通孔７０は、その長さ方向における一定範囲の内周に雌ネジ部７２が形成されており、この貫通孔７０の基板６８とは反対側の開口部からレンズ鏡枠５４が挿入してネジ結合するようになっている。したがって、レンズ鏡枠５４は、その回転動作により撮像軸の方向を移動するようになっている。
【００２７】
また、連結部３４の軸部材４４の内側には、２枚の板状の支持部材７６，７８が設けられると共に、この支持部材７６，７８に支持されて撮像部３６の回動軸線上を摺動することができる摺動軸８０が設けられている。この摺動軸８０は、支持部材７６，７８に支持される位置に対応してキー形状の突起部８２，８４が形成されており、この突起部８２，８４が支持部材７６，７８に形成されるキー溝形状の切欠き８６，８８に係合することにより、摺動軸８０が回転しないようになっている。
【００２８】
そして、摺動軸８０の一方の端部８０ａには、撮像部３６の回動軸線上にその中心軸を一致させて、回転しないように第２のかさ歯車９２（第２の動力伝達部）が固定されている。この第２のかさ歯車９２は第１のかさ歯車部５８と噛合うようになっている。
【００２９】
また、摺動軸８０には、その２箇所の突起部８２，８４の間の位置にフランジ部材９４が固定されており、このフランジ部材９４は支持部材７８との間に配置されるかさ歯車加圧用スプリング９６（第１の付勢部材）により付勢されるので、摺動軸８０を介して第２のかさ歯車９２は常に第１のかさ歯車部５８に押し付けられるようになっている。
【００３０】
また、鏡胴６２の基板６８とは反対側の端面とレンズ鏡枠５４の第１のかさ歯車部５８との間には、レンズ鏡枠加圧用スプリング９８（第２の付勢部材）が配置される。このレンズ鏡枠加圧用スプリング９８は、円環状のワッシャ部分１００の外周に突出して形成される数本の脚部１０２が折り曲げて設けられている。脚部１０２が、レンズ鏡枠５４の第１のかさ歯車部５８に当接して、レンズ鏡枠５４を鏡胴６２から撮像方向に押し出すように付勢するので、レンズ鏡枠５４と鏡胴６２の間にがたつきが生じないようになっている。
【００３１】
次に、このような焦点調節機構を有する撮像部３６について、遠距離撮影と近距離撮影の設定を相互に切替えた場合の動作について説明する。
【００３２】
図５に示す撮像部３６は、図２に示すような近距離撮影を行なうときの状態であって、図５中の撮像素子６４とレンズ５０，５２との間の距離が近距離撮影に適するように設定されている。
【００３３】
このような近距離撮影の設定から遠距離撮影の設定に切替えるために、撮像部３６の筐体４０を回動軸線を中心にして回動させると、この回動の動作に連動してレンズ鏡枠５４の第１のかさ歯車部５８が、固定の第２のかさ歯車９２に噛合いながら回動軸線を中心にして回動する。このため、レンズ鏡枠５４は撮像軸を中心にして回転すると共に、雄ネジ部６０及び鏡胴６２の雌ネジ部７２の作用により、撮像素子６４に近付くように撮像軸の方向を移動するようになっている。
【００３４】
したがって、図３に示すような遠距離撮影の設定に切替えた後は、図６に示すように、レンズ鏡枠５４が撮像素子６４側に近づくように移動したため（図中の移動長さＰ）、撮像素子６４とレンズ５０，５２との間の距離が遠距離撮影に適するように短くなる。また、レンズ鏡枠５４が撮像素子６４側に近づくように移動したため、第１のかさ歯車部５８と噛合う第２のかさ歯車９２も回動軸の方向に後退するようになっている（図中の移動長さＱ）。
【００３５】
また、このような遠距離撮影の設定から、図５に示すような近距離撮影の設定に切替える場合には、撮像部３６の筐体４０を遠距離撮影の設定に切替えたときと反対の方向に回動させればよい。この場合にも、回動の動作に連動してレンズ鏡枠５４の第１のかさ歯車部５８が、固定の第２のかさ歯車９２と噛合いながら回動軸線を中心にして回動する。そのため、レンズ鏡枠５４は撮像軸を中心にして回転すると共に、雄ネジ部６０及び鏡胴６２の雌ネジ部７２の作用により、撮像素子６４から遠ざかるように撮像軸の方向を移動するようになっている。
【００３６】
したがって、図２に示すような近距離撮影の設定に切替えた後は、図５に示すように、撮像素子６４とレンズ５０，５２との間の距離が近距離撮影に適するように長くなる。また、レンズ鏡枠５４が撮像素子６４側から遠ざかるように移動したため、第１のかさ歯車部５８と噛合う第２のかさ歯車９２は、かさ歯車用加圧スプリング９６に付勢されることにより前進して元の状態に戻るようになっている。
【００３７】
このような撮像部３６を備えるカメラ付き携帯電話機２０によれば、遠距離撮影から近距離撮影に切替える場合、又は近距離撮影から遠距離撮影に切替える場合のいずれにおいても、撮像部３６の撮像方向を切替える操作を行なったときに、撮像素子６４とレンズ５０，５２との間の距離が自動的に調節されるようにすることができる。
【００３８】
なお、本実施の形態においては、撮像部３６を連結部３２，３４に連結するようにしたが（図１参照）、このような本実施の形態とは別の実施の形態として、図示しないが、折り畳み型携帯電話機の第１筐体又は第２筐体における連結部とは反対側の端部から、この折り畳み型携帯電話機の長さ方向に突出する互いに平行な２枚の板材を設けて、それぞれの板材の互いに向き合う面上に円筒形状の支持軸を形成するようにして、これらの支持軸の間の位置に本実施の形態における撮像部３６と同様の構造を有する撮像部を連結するようにしてもよい。また、図示しないが、ヒンジ構造の連結部を備えずに単一の筐体で構成されるような携帯電話機に、同様の構造を有する撮像部を備えるようにしてもよい。
【００３９】
また、本実施の形態においては本発明を携帯電話機に適用した場合について説明したが、本発明はＰＤＡ（Ｐｅｒｓｏｎａｌ  Ｄｉｇｉｔａｌ  Ａｓｓｉｓｔａｎｔｓ）等のような他の種類のカメラ付き携帯端末にも、同様に適用することができることはいうまでもない。
【００４０】
【発明の効果】
以上説明したように、本発明のカメラ付き携帯端末によれば、遠距離撮影から近距離撮影に切替える場合、又は近距離撮影から遠距離撮影に切替える場合のいずれにおいても、撮像部の撮像方向を切替える操作を行なったときに、撮像素子とレンズとの間の距離が自動的に調節されるようにすることができる。
【図面の簡単な説明】
【図１】本発明の一実施の形態に係るカメラ付き携帯電話機２０を示す平面図である。
【図２】図１におけるカメラ付き携帯電話機２０の側面図であって、近距離撮影の設定を示す図である。
【図３】図１におけるカメラ付き携帯電話機２０の側面図であって、遠距離撮影の設定を示す図である。
【図４】図１における撮像部３６のＣ−Ｃ線断面図である。
【図５】図２における撮像部３６のＧ−Ｇ線断面図である。
【図６】図３における撮像部３６のＨ−Ｈ線断面図である。
【図７】従来のカメラ付き携帯端末２を示す斜視図である。
【符号の説明】
２  カメラ付き携帯端末
４  撮像部
６  筐体
８  機器本体
１０  手動式切替えノブ
１２  突起
１４  カム溝
２０  カメラ付き携帯電話機
２２  本体部
２４  表示部
２６  第１筐体
２８  操作部
３０  第２筐体
３２，３４  連結部
３６  撮像部
３８  窓部
４０  筐体
４２，４４  軸部材
４６  レバー
４８  回動位置決め部
５０，５２  レンズ
５４  レンズ鏡枠
５６  貫通孔
５８  第１のかさ歯車部
６０  雄ネジ部
６２  鏡胴
６４  撮像素子
６６  土台
６８  基板
７０  貫通孔
７２  雌ネジ部
７６，７８  支持部材
８０  摺動軸
８０ａ  端部
８２，８４  突起部
８６，８８  切欠き
９２  第２のかさ歯車
９４  フランジ部材
９６  かさ歯車加圧用スプリング
９８  レンズ鏡枠加圧用スプリング
１００  ワッシャ部分
１０２  脚部
【図１】
2005037589.tif 000003
【図２】
2005037589.tif 000004
【図３】
2005037589.tif 000005
【図４】
2005037589.tif 000006
【図５】
2005037589.tif 000007
【図６】
2005037589.tif 000008
【図７】
2005037589.tif 000009